(57)【要約】      （修正有）【課題】画像の編集・加工の際に画像処理装置の占有を回避することが可能な画像処理装置及び画像処理方法を提供する。【解決手段】画像読取制御部２０３は、予め記入された文字を有する原稿の画像を読み取る。光学文字認識部２０４は、読み取った原稿の画像のうち、文字情報を認識する。画像取得部２０５は、原稿の画像から、特定の画像を、前記文字情報と関連付けて取得する。画像合成部２０６は、前記文字情報と関連付けられた複数の画像を、当該文字情報に基づいて合成する。【選択図】図２
2016184785.tif 000002
【特許請求の範囲】
【請求項１】
予め記入された文字を有する原稿の画像を読み取る画像読取制御部と、
前記読み取った原稿の画像のうち、文字情報を認識する光学文字認識部と、
前記原稿の画像から、特定の画像を、前記文字情報と関連付けて取得する画像取得部と、
前記文字情報と関連付けられた複数の画像を、当該文字情報に基づいて合成する画像合成部と、
を備えることを特徴とする画像処理装置。
【請求項２】
前記画像取得部は、前記原稿の画像内に、範囲が指定された画像が存在するか否かを判定し、前記指定された範囲の画像が存在しない場合、前記原稿の画像のうち、前記認識された文字情報が存在する位置に、当該文字情報を関連付けて、当該原稿の画像を背景画像として取得し、前記指定された範囲の画像が存在する場合、前記指定された範囲内の画像を、前記文字情報と関連付けて、パーツ画像として取得し、
前記画像合成部は、前記背景画像の文字情報に、対応する文字情報のパーツ画像を貼り付けて、複数の画像を合成する
請求項１に記載の画像処理装置。
【請求項３】
前記画像取得部は、前記認識された文字情報のうち、処理の指示を示す指示文字情報が含まれる場合、当該指示文字情報に従って、前記画像を加工して、加工後の画像を取得する
請求項１又は２に記載の画像処理装置。
【請求項４】
前記合成された合成画像を出力する表示受付部を更に備える
請求項１〜３のいずれか一項に記載の画像処理装置。
【請求項５】
前記画像取得部は、パーツ画像を取得する場合、前記パーツ画像を、当該パーツ画像の文字情報と関連付けて、パーツ画像テーブルに記憶させ、
前記表示受付部は、ユーザーの操作により、前記パーツ画像テーブルに基づいてパーツ画像を呼び出す
請求項１〜４のいずれか一項に記載の画像処理装置。
【請求項６】
前記画像読取制御部は、前記自動原稿給送部を用いて、原稿の画像を一枚ずつ自動的に読み取る
請求項１〜５のいずれか一項に記載の画像処理装置。
【請求項７】
予め記入された文字を有する原稿の画像を読み取る画像読取制御ステップと、
前記読み取った原稿の画像のうち、文字情報を認識する光学文字認識ステップと、
前記原稿の画像から、特定の画像を、前記文字情報と関連付けて取得する画像取得ステップと、
前記文字情報と関連付けられた複数の画像を、当該文字情報に基づいて合成する画像合成ステップと、
を備えることを特徴とする画像処理方法。
【発明の詳細な説明】
【技術分野】
【０００１】
本発明は、画像処理装置及び画像処理方法に関する。
【背景技術】
【０００２】
近年、プリンター、複写機、複合機等の画像処理装置では、スキャンされた文章の画像を当該画像処理装置で編集することが出来るようになってきている。例えば、特開２００７−６０８４号公報（特許文献１）には、ユーザーが前記文章の画像を確認しながら、画像編集を容易に行える画像処理装置が開示されている。この装置は、例えば、文章をタッチパネルに表示し、ユーザーが、タッチパネルを介して、当該文章の一部の範囲を指定して抜き出し、この文書の一部に任意の画像を重ね合わせることが出来るとしている。
【先行技術文献】
【特許文献】
【０００３】
【特許文献１】特開２００７−６０８４号公報
【発明の概要】
【発明が解決しようとする課題】
【０００４】
しかしながら、特許文献１に記載の技術では、例えば、ユーザーが画像処理装置の前を占有した上で、操作をし、画像の編集・加工を行なわなければならない。そのため、そのユーザーの周囲にコピーやファクシミリ等の作業を行ないたい他のユーザーが存在する場合、他のユーザーの生産性や効率を下げるという課題がある。つまり、ユーザーが画像処理装置の前で複雑な画像の編集・加工を行う場合、当該画像処理装置が長時間にわたって占有されてしまうという課題がある。
【０００５】
そこで、本発明は、前記課題を解決するためになされたものであり、画像の編集・加工の際に画像処理装置の占有を回避することが可能な画像処理装置及び画像処理方法を提供することを目的とする。
【課題を解決するための手段】
【０００６】
本発明の一の局面に係る画像処理装置は、画像読取制御部と、光学文字認識部と、画像取得部と、画像合成部と、を備える。画像読取制御部は、予め記入された文字を有する原稿の画像を読み取る。光学文字認識部は、前記読み取った原稿の画像のうち、文字情報を認識する。画像取得部は、前記原稿の画像から、特定の画像を、前記文字情報と関連付けて取得する。画像合成部は、前記文字情報と関連付けられた複数の画像を、当該文字情報に基づいて合成する。
【０００７】
前記画像取得部は、前記原稿の画像内に、範囲が指定された画像が存在するか否かを判定し、前記指定された範囲の画像が存在しない場合、前記原稿の画像のうち、前記認識された文字情報が存在する位置に、当該文字情報を関連付けて、当該原稿の画像を背景画像として取得し、前記指定された範囲の画像が存在する場合、前記指定された範囲内の画像を、前記文字情報と関連付けて、パーツ画像として取得する。前記画像合成部は、前記背景画像の文字情報に、対応する文字情報のパーツ画像を貼り付けて、複数の画像を合成する。
【０００８】
前記画像取得部は、前記認識された文字情報のうち、処理の指示を示す指示文字情報が含まれる場合、当該指示文字情報に従って、前記画像を加工して、加工後の画像を取得する。
【０００９】
本発明は、前記合成された合成画像を出力する表示受付部を更に備える。
【００１０】
前記画像取得部は、パーツ画像を取得する場合、前記パーツ画像を、当該パーツ画像の文字情報と関連付けて、パーツ画像テーブルに記憶させ、前記表示受付部は、ユーザーの操作により、前記パーツ画像テーブルに基づいてパーツ画像を呼び出す。
【００１１】
前記画像読取制御部は、前記自動原稿給送部を用いて、原稿の画像を一枚ずつ自動的に読み取る。
【００１２】
本発明の一の局面に係る画像処理方法は、画像読取制御ステップと、光学文字認識ステップと、画像取得ステップと、画像合成ステップと、を備える。画像読取制御ステップは、予め記入された文字を有する原稿の画像を読み取る。光学文字認識ステップは、前記読み取った原稿の画像のうち、文字情報を認識する。画像取得ステップは、前記原稿の画像から、特定の画像を、前記文字情報と関連付けて取得する。画像合成ステップは、前記文字情報と関連付けられた複数の画像を、当該文字情報に基づいて合成する。
【発明の効果】
【００１３】
本発明の画像処理装置及び画像処理方法によれば、画像の編集・加工の際に画像処理装置の占有を回避することが可能となる。
【図面の簡単な説明】
【００１４】
【図１】本発明に係る画像処理装置の全体構成を示す概念図である。
【図２】本発明の実施形態における画像処理装置の機能ブロック図である。
【図３】本発明の実施形態の実行手順を示すためのフローチャートである。
【図４】本発明の実施形態における画像合成受付画面の一例を示す図（図４（Ａ））と、本発明の実施形態における文字が手書きされた３枚の原稿の一例を示す図（図４（Ｂ））と、である。
【図５】本発明の実施形態における１枚目の原稿の画像と文字情報の認識後の画像の一例を示す図（図５（Ａ））と、本発明の実施形態における２枚目の原稿の画像と文字情報の認識後の画像と加工後の画像の一例を示す図（図５（Ｂ））と、である。
【図６】本発明の実施形態における３枚目の原稿の画像と文字情報の認識後の画像の一例を示す図（図６（Ａ））と、本発明の実施形態におけるパーツ画像テーブルの一例を示す図（図６（Ｂ））と、である。
【図７】本発明の実施形態における複数の画像の合成の一例を示す図（図７（Ａ））と、本発明の実施形態における画像合成完了画面の一例を示す図（図７（Ｂ））と、である。
【発明を実施するための形態】
【００１５】
以下に、添付図面を参照して、本発明の画像処理装置及び画像処理方法の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１６】
以下に、本発明の実施形態の一例として、画像処理装置について説明する。尚、本発明の画像処理装置は、例えば、ファクシミリ、コピー、スキャナー、プリンター等の機能を備えた複合機（ＭＦＰ：Ｍｕｌｔｉ  Ｆｕｎｃｔｉｏｎ  Ｐｅｒｉｐｈｅｒａｌ）、複写機、プリンター等が該当する。
【００１７】
画像処理装置１００は、図１に示すように、操作部１０１を介してユーザーから印刷ジョブの設定条件を受け付けると、画像読取部１０２、搬送部１０３、画像形成部１０４等の各部を駆動し、当該印刷ジョブを提供する。操作部１０１は、タッチパネルを備え、ユーザーからの指示入力又は画面表示を可能とする。画像読取部１０２は、原稿台又は自動原稿給送部に載置された原稿の画像をデータとして読み取る。搬送部１０３は、給紙カセット又は手差しトレイから用紙を画像形成部１０４へ搬送する。画像形成部１０４は、搬送された用紙に、前記読み取られた画像のデータに対応するトナー像を転写し、定着ローラで定着して、画像形成を実行する。
【００１８】
又、画像処理装置１００は、前記読み取られた画像を編集・処理する画像処理部１０５を備え、画像処理部１０５は、前記画像内の手書きの文字情報（記号、数字等）を読み取る光学文字認識（ＯＣＲ）機能を有しており、前記読み取られた画像に、前記光学文字認識機能で読み取った文字情報を関連付ける。又、画像処理部１０５は、前記画像内で、手書きで指定された範囲を識別する機能を有しており、前記識別された指定範囲内の画像を特定の処理を施して、当該画像のみを抽出し、レイヤー化（層化）する。画像処理部１０５は、前記画像と前記文字情報とに基づいて、複数の画像を合成して一つの画像にする（後述する）。
【００１９】
尚、画像処理装置１００の制御回路は、図示しないが、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、各駆動部に対応するドライバーを内部バスによって接続している。
【００２０】
画像処理装置１００のＣＰＵは、例えば、ＲＡＭを作業領域として利用し、ＲＯＭ、ＨＤＤ、ＳＳＤ等に記憶されているプログラムを実行し、当該実行結果に基づいてドライバーからのデータ、指示、信号、命令等を授受し、印刷ジョブの実行に関する各駆動部の動作を制御する。又、駆動部以外の後述する各部（図２に示す）についても、ＣＰＵが、各プログラムを実行することで当該各部を実現する。ＲＯＭ、ＲＡＭ、ＨＤＤ、ＳＳＤ等には、以下に説明する各部を実現するプログラムやデータが記憶されている。
【００２１】
次に、図２、図３を参照しながら、本発明の実施形態に係る構成及び実行手順について説明する。先ず、ユーザーが、画像処理装置１００の電源を投入すると、当該画像処理装置１００のユーザー認証部２０１が、操作部１０１のタッチパネル上にログイン画面を表示して、ユーザーからユーザーＩＤとパスワードとの入力を受け付ける。
【００２２】
ユーザーが、自分のユーザーＩＤ（例えば、「ＡＡＡ」）と所定のパスワード（例えば、「ａａａ」）とを入力すると、ユーザー認証部２０１が、当該入力された入力ユーザーＩＤ及び入力パスワードが、予め登録された登録ユーザーＩＤ及び登録パスワードと一致しているか否かを判定する。
【００２３】
前記入力ユーザーＩＤが前記登録ユーザーＩＤに一致しない場合、前記入力ユーザーＩＤが前記登録ユーザーＩＤに一致し、且つ、前記入力パスワードが前記登録パスワードに一致しない場合、ユーザー認証部２０１は、前記入力ユーザーＩＤ及び入力パスワードを消去して、ユーザーに適切なユーザーＩＤ及びパスワードの入力を受け付ける。
【００２４】
一方、前記入力ユーザーＩＤが前記登録ユーザーＩＤに一致し、且つ、前記入力パスワードが前記登録パスワードに一致する場合、ユーザー認証部２０１は、ユーザーログインを実行し、ユーザーによる画像処理装置１００の使用を許可する（図３：Ｓ１０１）。
【００２５】
ユーザー認証部２０１がユーザーログインを実行すると、その旨を画像処理装置１００の表示受付部２０２に通知し、当該通知を受けた表示受付部２０２は、操作部１０１のタッチパネル上に操作画面（例えば、初期画面）を表示して、ユーザーから処理の入力を受け付ける。
【００２６】
ここで、ユーザーが、画像の合成（編集・加工）を行ないたいと考え、前記操作画面中の画像合成モードキーを選択すると、表示受付部２０２が、当該画像合成モードキーの選択を受け付けて、画像合成モードへ移行し（図３：Ｓ１０２）、操作部１０１のタッチパネル上に、画像合成受付画面４００を表示させる。
【００２７】
前記画像合成受付画面４００には、図４（Ａ）に示すように、画像合成モードのメッセージ４０１と、画像合成モードの説明４０２「背景画像には、配置したいパーツ画像の文字を手書きで記入し、パーツ画像には、範囲を指定して、その中に文字を手書きで記入して、原稿の画像を読み取らせてください。」と、手書きの色の指定４０３「手書きの文字又は指定範囲の色は、黒です。」と、原稿読取のスタートキー４０４とが表示される。
【００２８】
ユーザーが、前記画像合成受付画面４００を見ながら、前記指定の色（例えば、黒色）の筆記具（例えば、シャーペン、ボールペン等）を取り出し、画像合成を行いたい複数の原稿に、特定の文字を、例えば、手書きで予め記入する。
【００２９】
例えば、図４（Ｂ）に示すように、背景画像の原稿であって、全面の色が特定の色（例えば、紺色）である１枚目の原稿４０５には、ユーザーが、画像を貼り付けたい位置に、手書きで、複数の文字４０６ａ、４０６ｂ（例えば、「１Ｐ  ＣＷ９０」、「２Ｐ」）をそれぞれ記入する。
【００３０】
又、パーツ画像の原稿であって、９０度逆時計回りに回転された第一の画像（例えば、「リニューアル」）を有する２枚目の原稿４０７には、ユーザーが、手書きで、第一の画像を取り囲むように範囲を指定し、当該指定した範囲内に、第一の画像を示す文字（例えば、「１Ｐ」）と、９０度時計回りに回転させる指示を示す文字（例えば、「ＣＷ９０」）とを組とした文字４０８（例えば、「１Ｐ  ＣＷ９０」）を記入する。
【００３１】
又、パーツ画像の原稿であって、第二の画像（例えば、「家」）を有する３枚目の原稿４０９には、ユーザーが、手書きで、第二の画像を取り囲むように範囲を指定し、当該指定した範囲内に、第二の画像を示す文字４１０（例えば、「２Ｐ」）を記入する。
【００３２】
そして、ユーザーは、手書きで文字を入力した複数の原稿（１枚目の原稿から３枚目の原稿まで）を、自動原稿給送部に載置して、前記スタートキー４０４を選択すると、表示受付部２０２が、当該スタートキー４０４の選択を受け付けて、その旨を画像読取制御部２０３に通知する。当該通知を受けた画像読取制御部２０３は、前記自動原稿給送部を用いて、原稿の画像を一枚ずつ読み取る（図３：Ｓ１０３）。
【００３３】
先ず、画像読取制御部２０３が、前記自動原稿給送部から１枚目の原稿を搬送して、画像読取部１０２で前記１枚目の原稿の画像を読み取る。画像読取制御部２０３が、前記１枚目の原稿の画像を読み取ると、その旨を光学文字認識部２０４に通知し、当該通知を受けた光学文字認識部２０４は、前記読み取った１枚目の原稿の画像のうち、手書きの文字情報を認識する（図３：Ｓ１０４）。
【００３４】
例えば、図５（Ａ）に示すように、１枚目の原稿の画像では、２つの文字４０６ａ、４０６ｂ（「１Ｐ  ＣＷ９０」、「２Ｐ」）が手書きで記入されているため、光学文字認識部２０４は、各文字４０６ａ、４０６ｂに対応する文字情報（「１Ｐ  ＣＷ９０」、「２Ｐ」）を認識する。
【００３５】
光学文字認識部２０４が文字情報の認識を完了すると、その旨を画像取得部２０５に通知し、当該通知を受けた画像取得部２０５は、前記原稿の画像から、特定の画像を前記文字情報と関連付けて取得する。
【００３６】
例えば、画像取得部２０５は、予め指定された特定の色（黒色）に従って、前記原稿の画像内に、手書きで範囲が指定された画像が存在するか否かを判定する（図３：Ｓ１０５）。前記１枚目の原稿の画像では、手書きの指定範囲が存在しないため、画像取得部２０５は、前記指定された範囲の画像が存在しないと判定し（図３：Ｓ１０５ＮＯ）、前記原稿の画像のうち、前記認識された文字情報（「１Ｐ  ＣＷ９０」、「２Ｐ」）が存在する位置に、当該文字情報を関連付け、手書きの文字情報を消去して、図５（Ａ）に示すように、当該原稿の画像の全部を背景画像５００として取得する（図３：Ｓ１０６）。これにより、読み取られた原稿の画像が、背景画像として取得することが可能となる。
【００３７】
画像取得部２０５が画像の取得を完了すると、その旨を画像読取制御部２０３に通知し、当該通知を受けた画像読取制御部２０３は、全ての原稿の画像を読み取ったか否かを判定する（図３：Ｓ１０７）。画像読取制御部２０３は、例えば、自動原稿給送部に予め設けられた原稿存在検知センサーにより、当該自動原稿給送部に原稿が存在するか否かを判定することで、前記全ての原稿の画像を読み取ったか否かを判定する。
【００３８】
未だ、２枚の原稿があるため、画像読取制御部２０３は、全ての原稿の画像を読み取っていないと判定し（図３：Ｓ１０７ＮＯ）、Ｓ１０３に移行して、前記原稿の画像の読取を繰り返す（図３：Ｓ１０３）。
【００３９】
ここで、２枚目の原稿の画像が読み取られて、図５（Ｂ）に示すように、特定の文字４０８に対応する文字情報（「１Ｐ  ＣＷ９０」）が認識されると（図３：Ｓ１０４）、画像取得部２０５は、前記原稿の画像内に、手書きで範囲が指定された画像が存在するか否かを判定する（図３：Ｓ１０５）。前記２枚目の原稿の画像では、手書きの指定範囲が存在するため、画像取得部２０５は、前記指定範囲の画像が存在すると判定し（図３：Ｓ１０５ＮＯ）、前記指定された範囲内の画像をパーツ画像として取得する（図３：Ｓ１０８）。
【００４０】
ここで、画像取得部２０５は、図５（Ｂ）に示すように、前記指定範囲内の画像を特定の処理（例えば、パターン処理、背景消し処理）を施して、当該画像５０１（「リニューアル」）のみを抽出する。又、画像取得部２０５は、前記認識された文字情報（「１Ｐ  ＣＷ９０」）のうち、処理の指示を示す指示文字情報（「ＣＷ９０」）が含まれる場合、当該指示文字情報に従って、前記画像５０１（「リニューアル」）を加工する。例えば、前記指示文字情報が「ＣＷ９０」である場合は、画像取得部２０５は、抽出された画像を９０度時計回りに回転させる加工を施す。前記加工には、画像を回転させる加工の他に、画像を拡大／縮小させる加工、画像の内部を特定の色で塗り潰す加工等が挙げられる。そして、画像取得部２０５は、加工後の画像５０２をパーツ画像として取得する。これにより、ユーザーは、原稿に指示文字を手書きで記入させるだけで、画像の加工を簡単に行うことが可能となる。
【００４１】
尚、画像取得部２０５は、特定のメモリーに予め記憶された指示文字情報を有し、前記認識された文字情報と、前記指示文字情報とを照合することで、前記文字情報に前記指示文字情報が含まれるか否かを判定する。又、例えば、表示受付部２０２が、前記指示文字情報の種類を画像合成受付画面４００に表示させて、ユーザーに指示文字情報を知らせると好ましい。
【００４２】
画像取得部２０５が、前記パーツ画像を取得すると、当該パーツ画像を、前記認識された文字情報に関連付ける（図３：Ｓ１０９）。ここでは、前記２枚目の原稿のパーツ画像５０１（「リニューアル」）が、前記文字情報（「１Ｐ  ＣＷ９０」）と関連付けられる。
【００４３】
そして、Ｓ１０７に移行し、上述と同様に、画像読取制御部２０３は、全ての原稿の画像を読み取ったか否かを判定する（図３：Ｓ１０７）。最後の原稿があるため（図３：Ｓ１０７ＮＯ）、Ｓ１０３に移行して、前記最後の原稿の画像が読み取られる（図３：Ｓ１０３）。
【００４４】
ここで、３枚目の原稿の画像が読み取られて、図６（Ａ）に示すように、特定の文字４１０に対応する文字情報（「２Ｐ」）が認識される（図３：Ｓ１０４）。そして、手書きの指定範囲が存在すると判定され（図３：Ｓ１０５ＮＯ）、画像取得部２０５は、前記指定範囲内の画像を特定の処理を施して、当該画像６００のみを抽出する。ここで、前記認識された文字情報（「２Ｐ」）のうち、前記指示文字情報は含まれないため、画像取得部２０５は、前記画像６００をパーツ画像としてそのまま取得する（図３：Ｓ１０８）。又、画像取得部２０５は、前記パーツ画像を、前記認識された文字情報に関連付けるが（図３：Ｓ１０９）、例えば、図６（Ｂ）に示すように、画像取得部２０５は、パーツ画像テーブル６０１に、前記文字情報６０２と、前記パーツ画像６０３とを関連付けて記憶させる。
【００４５】
さて、Ｓ１０７に移行し、画像読取制御部２０３は、全ての原稿の画像を読み取ったか否かを判定するが（図３：Ｓ１０７）、全ての原稿の画像が読み取られているため（図３：Ｓ１０７ＹＥＳ）、画像読取制御部２０３は、その旨を画像合成部２０６に通知する。当該通知を受けた画像合成部２０６は、前記文字情報と関連付けられた複数の画像（背景画像５００、パーツ画像５０２、６００）を、当該文字情報に基づいて合成する（図３：Ｓ１１０）。
【００４６】
例えば、図７（Ａ）に示すように、画像合成部２０６は、背景画像５００を読み出し、前記背景画像５００をベースにして、当該背景画像５００に配置された文字情報（「１Ｐ  ＣＷ９０」、「２Ｐ」）を取得する。次に、画像合成部２０６は、前記パーツ画像テーブル６０１を参照し、前記取得した文字情報に対応する文字情報を有するパーツ画像５０２、６００を読み出し、前記背景画像５００の文字情報に、対応する文字情報のパーツ画像５０２、６００を貼り付けて、画像を合成する。画像合成部２０６は、例えば、前記背景画像５００の文字情報に対して、貼り付け対象のパーツ画像５０２、６００の中心がくるように、当該パーツ画像５０２、６００を配置する。各パーツ画像５０２、６００は、レイヤー化されているため、複数のパーツ画像５０２、６００を重ね合わせて配置することが出来る。当該配置により、前記パーツ画像５０２、６００が前記背景画像５００からはみ出る場合には、画像合成部２０６は、前記パーツ画像５０２、６００のサイズを縮小して、当該縮小後のパーツ画像５０２、６００が前記背景画像５００からはみ出ないように編集する。そして、画像合成部２０６は、複数の画像が合成された合成画像７００を生成する。これにより、ユーザーは、手書きで文字を入力するだけで、複数の原稿の画像を適当に抽出し、一つの合成画像を作成することが可能となる。そのため、本発明では、画像処理装置１００の前でユーザーが長期間、操作部１０１で操作して画像を合成することが無くなり、ユーザーによる画像処理装置１００の占有を回避することが可能となる。
【００４７】
さて、画像合成部２０６が画像の合成を完了すると、その旨を表示受付部２０２に通知し、当該通知を受けた表示受付部２０２は、前記合成された合成画像を出力する（図３：Ｓ１１１）。例えば、表示受付部２０２は、操作部１０１のタッチパネル上に、画像合成完了画面７０１を表示させる。
【００４８】
前記画像合成完了画面７０１には、図７（Ｂ）に示すように、画像合成モードのメッセージ７０２と、画像の合成が完了した旨のメッセージ７０３と、合成画像のプレビュー画像７０４と、合成画像を編集するために編集キー７０５と、パーツ画像を呼び出すためのパーツ画像呼び出しキー７０６と、合成画像を保存するための保存キー７０７と、合成画像を用いたジョブを入力するためのジョブ入力キー７０８と、ＯＫキー７０９とが表示される。
【００４９】
編集キー７０５では、例えば、合成画像中のパーツ画像の加工（拡大、縮小、回転等）を行うことが出来る。又、パーツ画像呼び出しキー７０６では、例えば、今まで関連付けたパーツ画像を、特定の文字情報から呼び出すことが出来る。文字情報は、例えば、タッチパネル上で、ユーザーが手書き入力することで呼び出される。前記パーツ画像テーブル６０１は、ログイン中のユーザー毎に設けられるため、原則、ユーザー自身のパーツ画像しか呼び出せないが、各種設定により、他のユーザーのパーツ画像も呼び出しても良い。呼び出したパーツ画像は、上述と同様に、画像合成部２０６が合成することになる。又、保存キー７０７では、例えば、ログイン中のユーザー毎に合成画像を保存出来る。又、ジョブ入力キー７０８では、例えば、合成画像に基づいたコピージョブ、ファクシミリジョブ、ｅメール送信ジョブ等を入力して画像処理装置１００に実行させることが出来る。
【００５０】
これにより、ユーザーは、合成画像を確認したり、更に、編集・加工したりすることが出来る。
【００５１】
尚、本発明の実施形態では、画像読取制御部２０３が、前記自動原稿給送部を用いて、原稿の画像を一枚ずつ自動的に読み取るよう構成したが、他の構成でも良い。例えば、画像読取制御部２０３が、ユーザーに、一枚ずつ原稿を原稿台に載置させ、ユーザーの操作により、原稿の画像を一枚ずつ読み取るよう構成しても良い。尚、原稿の画像の数に限定は無い。
【００５２】
又、本発明の実施形態では、背景画像に対応する原稿を用意し、この原稿の背景画像をベースにして、パーツ画像を貼り付けて、複数の画像を合成したが、他の構成でも良い。例えば、画像合成部２０６は、背景画像が無くても、予め設定されたベース画像（例えば、白紙画像）に、パーツ画像を貼り付けて、複数の画像を合成しても良い。この場合、ベース画像に、ユーザーの操作により、文字情報を入力出来るようにしたり、白紙原稿に、ユーザーが手書きで文字を予め入力しておき、その白紙原稿の画像をベース画像として読み取るよう構成しても良い。
【００５３】
又、本発明の実施形態では、画像処理装置の各装置が各部を備えるよう構成したが、当該各部を実現するプログラムを記憶媒体に記憶させ、当該記憶媒体を提供するよう構成しても構わない。当該構成では、前記プログラムを、各装置に読み出させ、各装置が前記各部を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００５４】
以上のように、本発明に係る画像処理装置及び画像処理方法は、複合機、複写機、スキャナー等の画像処理装置に有用であり、画像の編集・加工の際に画像処理装置の占有を回避することが可能な画像処理装置及び画像処理方法として有効である。
【符号の説明】
【００５５】
１００  画像処理装置
１０１  操作部
２０１  ユーザー認証部
２０２  表示受付部
２０３  画像読取制御部
２０４  文字認識部
２０５  画像取得部
２０６  画像合成部
【図１】
2016184785.tif 000003
【図２】
2016184785.tif 000004
【図３】
2016184785.tif 000005
【図４】
2016184785.tif 000006
【図５】
2016184785.tif 000007
【図６】
2016184785.tif 000008
【図７】
2016184785.tif 000009